【事件の表示】
　特願２００２−１７０４６８「ゴルフクラブ用グリップ」拒絶査定不服審判事件〔平成１５年７月２日出願公開、特開２００３−１８０８９２〕について、次のとおり審決する。
【結　論】
　本件審判の請求は、成り立たない。
【理　由】
第１　手続の経緯
　本願は、平成１３年１０月１０日に出願された特願２００１−３１２４８１号の特許出願を国内優先権主張の基礎として、平成１４年６月１１日に出願された特願２００２−１７０４６８号の特許出願であって、平成１４年１０月２４日付の原審における拒絶理由通知に対し平成１５年１月６日付で意見書が提出され、平成１５年６月１２日付で拒絶査定がなされたところ、前記拒絶査定を不服として、平成１５年７月２４日に拒絶査定に対する審判が請求されるとともに、同日付で明細書についての手続補正がなされたものである。
　
第２　平成１５年７月２４日付の手続補正についての補正の却下の決定
　
［補正の却下の決定の結論］
　平成１５年７月２４日付の手続補正を却下する。
　
［理由］
１．補正後の発明
　平成１５年７月２４日付の手続補正は、特願２００２−１７０４６８号の出願当初の明細書の特許請求の範囲の
　「【請求項１】　ゴルフクラブのシャフトが挿入される断面概略円形の挿入孔を有するゴルフクラブ用グリップであって、前記挿入孔の内面に、シャフト挿入状態で押し潰されてグリップ外面部に軸方向に沿う凸筋が現出する細長い棒状の凸部を設けたことを特徴とするゴルフクラブ用グリップ。」
の記載を、
　「【請求項１】　ゴルフクラブのシャフトが挿入される断面概略円形の挿入孔を有するゴルフクラブ用グリップであって、前記挿入孔の内面に、シャフト挿入状態で押し潰されてグリップ外面部に軸方向に沿う凸筋が現出する細長
い凸
一体に
と補正する（以下、これを「本件補正」という。）ことを含むものである。
　
２．補正の内容
　上記本件補正の内容は、請求項１の「細長い棒状の凸部を設けた」の記載を、「細長い凸部を一体に設けた」の記載に補正するものである。
　しかして、上記本件補正は、「棒状の」を削除して「一体に」を付加するものであるが、前記補正の全体は、実質的に「細長い凸部を設けた」を減縮するものとなっているから、特許法第１７条の２第４項第２号の「特許請求の範囲の減縮」を目的とする補正に該当する。
　そこで、本件補正後の前記請求項１に記載された発明（以下、これを「
本願補正発明１
　
３．引用刊行物及び該引用刊行物の記載事項
　原審における拒絶査定の理由に引用された実願昭５０−２８０９０号（実開昭５１−１０９２６８号）のマイクロフイルム（以下、「
引用刊行物１
　「２．実用新案登録請求の範囲
　合成樹脂又はゴム等の弾力性と柔軟性に富む材料により筒形に形成し、該筒形は、自由時に全外周面が円形断面Ｐを呈するようにかつ内部空洞Ａが少なくともその終端部２ａで花びら形断面Ｑを呈するようにし、また該筒形は、前記内部空洞ＡにクラブシャフトＥを圧挿入した時には外周面が少なくともその終端部２ａで多角形断面Ｒを呈するようにしたことを特徴とするゴルフクラブ用グリップ。
　３．考案の詳細な説明
　本考案は、ゴルフクラブ用のグリップに関するものである。
　元来、ゴルフクラブで球を打つ際に、右手は打撃力を出し、左手は方向を定めるという目的がある。そこで打球時に左手が滑ると打球の方向が狂う。従来のゴルフクラブ用グリップでは、打球時に左手が滑ることが多かった。
　本考案は、従来の欠点をなくすため、滑り難くかつ加工費の安い筒形ゴルフクラブ用グリップを提供しようとするものである。
　以下に本考案の一実施例を図面に基づいて説明すると、このゴルフクラブ用グリップ１は、合成樹脂又はゴム等の弾力性と柔軟性に富む材料により筒形に形成し、該筒形は、自由時に全外周面が円形断面Ｐを呈するようにかつ内部空洞Ａが少なくともその終端部２ａで花びら形断面Ｑを呈するようにし、また該筒形は、前記内部空洞ＡにクラブシャフトＥを圧挿入した時には外周面が少なくともその終端部２ａで多角形断面Ｒを呈するようにした構造である。
　即ち、グリップ１はクラブシャフトＥの圧挿入時（第３，４図参照）には下記の如くなるようにしている。つまり、前記グリップ１の終端部２ａの表面は８角形（６〜１０角形位いが望ましい）になり、その一頂角に突出部３が形成される。また各頂角からグリップ始端部２ｂ側へ降りる稜線４ａ〜４ｅは第３図の如く前記突出部３から出ている稜線４ａに近いほど長く、該稜線４ａが最長線となるように形成される。そしてグリップ１の始端部２ｂの表面は円形となり、多教の細溝２ｃが形成される。また前記グリップ１の終端部２ａの端面６の中央にシャフトへの組付用空気抜孔７が設けられる。なおこの例の突出部３は中心線Ｃ上に配置されたが、該突出部は中心線Ｃより少し偏寄させることもできる。また始端部２ｂも多角形に形成することもできる。
　従って、グリップ１は、自由時（第１，２図参照）には下記の如くなるように形成される。即ち第３，４図において稜線４ａ〜４ｅの部分が他の部分より突出している分だけ内方へ突出する内突条１４ａ〜１４ｅを空洞Ａの表面に形成し、これらのうちの最大の突出量をもつ内突条１４ａは例えば１２φ上に位置させ、他の内突条１４ｂ〜１４ｅは例えば１３φ上に位置させ、谷部１５…は例えば１４φ上に位置させ、この空洞Ａ中に例えば１４．５φのクラブシャフトＥを圧入すれば上記第３図の如くなるようにしている。１６…は各突条の頂部に形成された溝条で、各突条がシャフトＥで圧縮されるときに突条中心がずれないようにする機能を有する。
　上記実施例では、第３図の如くグリップ１内の空洞ＡにクラブシャフトＥを圧入接着するのであるが、このとき前記突出部３から出た稜線４ａが打球状態に他の稜線に比して地平面に最も近い側に来るように装着する。そして打球に際しては第４図の如く前記突出部３から出た稜線４ａに沿って左手指Ｂの第２関節Ｄが当るように前記グリップ１を握り、右手はその左手にそえて握る。このようにすると、打球時に突出部３が左手指に引掛かり、左手が前記グリップ１に固定される。また打球状態で突出部３から出た稜線４ａを他の稜線に比して地平面に最近接させることにより、左手の甲が打球方向に対して直角をなし、また前記グリップ１の材料としてゴム又は合成樹脂を使用していることと相俟って手が滑ることはなくなる。
　本考案は上記実施例の如く実施できるものであるから、本考案では使用時に表面が多角形で滑り難く弾力性及び柔軟性に富み、製造時には表面が円形でペーパーがけ等の加工がし易い筒形のゴルフクラブ用グリップを提供できる効果がある。」（明細書１頁４行〜同５頁４行）
　そして、引用刊行物１の添付図面の第１図ないし第４図には、上記摘記した技術事項を裏付ける図面が図示されていて、特に、本考案実施例の自由時の拡大横断面図が示されている第１図には「ゴルフクラブ用グリップ１の内部空洞ＡにクラブシャフトＥが圧挿入される前の自由時に、ゴルフクラブ用グリップ１の筒形が、全外周面が円形断面Ｐを呈するようにかつ内部空洞Ａが少なくともその終端部２ａで花びら形断面Ｑを呈するように内周面に内突条１４ａ〜１４ｅが形成されたゴルフクラブ用グリップ」が図示され、また、本考案実施例の使用状態正面図が示されている第４図には「ゴルフクラブ用グリップ１の内部空洞ＡにクラブシャフトＥが圧挿入された時に、ゴルフクラブ用グリップ１の筒形が、外周面が少なくともその終端部２ａで、稜線４ａ〜４ｅが突出する多角形断面Ｒを呈するように形成されているゴルフクラブ用グリップ」が図示されている。
　そうすると、上記引用刊行物１における前記摘記事項及び添付図面における記載からみて、引用刊行物１には、「合成樹脂又はゴム等の弾力性と柔軟性に富む材料により筒形に形成したゴルフクラブ用グリップであって、ゴルフクラブ用グリップの内部空洞ＡにクラブシャフトＥが圧挿入される前の自由時には、ゴルフクラブ用グリップ１の筒形が、全外周面が円形断面Ｐを呈するようにかつ内部空洞Ａが少なくともその終端部２ａで花びら形断面Ｑを呈するように、内周面に内方へ突出する内突条１４ａ〜１４ｅが形成されており、さらに各突条の頂部には各突条がシャフトＥで圧縮されるときに突条中心がずれないようにする機能を有する溝条１６が形成されており、ゴルフクラブ用グリップの内部空洞ＡにクラブシャフトＥが圧挿入された時には、各突条がシャフトＥで圧縮され、ゴルフクラブ用グリップの前記筒形が、外周面が少なくともその終端部２ａでは、内方へ突出する内突条１４ａ〜１４ｅが内方へ突出する分だけ他の部分より外方へ突出するように稜線４ａ〜４ｅの部分で多角形断面Ｒを呈するよう形成にされるゴルフクラブ用グリップ」の発明（以下、これを「
引用発明１
　
４．本願補正発明１と引用発明１との対比及び一致点・相違点
　本願補正発明１と引用発明１とを対比すると、引用発明１における「クラブシャフトＥ」が、本願補正発明１の「ゴルフクラブのシャフト」に対応することは明らかである。
　そして、引用発明１の「内周面に形成された内方へ突出する内突条１４ａ〜１４ｅ」は、「少なくともその終端部２ａでの外周面が、内方へ突出する分だけ他の部分より外方へ突出するように稜線４ａ〜４ｅの部分で多角形断面Ｒを呈するよう形成にされる」のであるから、引用発明１の前記「内周面に形成された内方へ突出する内突条１４ａ〜１４ｅ」は、本願補正発明１の「前記挿入孔の内面に一体に設けられた細長い凸部」に対応するといえる。
　そうすると、引用発明１における「内周面に内方へ突出する内突条１４ａ〜１４ｅが形成されており、ゴルフクラブ用グリップの内部空洞ＡにクラブシャフトＥが圧挿入された時には、各突条がシャフトＥで圧縮され、ゴルフクラブ用グリップの前記筒形が、外周面が少なくともその終端部２ａでは、内方へ突出する内突条１４ａ〜１４ｅが内方へ突出する分だけ他の部分より外方へ突出するように稜線４ａ〜４ｅの部分で多角形断面Ｒを呈するよう形成にされる」が、本願補正発明１の「前記挿入孔の内面に、シャフト挿入状態で押し潰されてグリップ外面部に軸方向に沿う凸筋が現出する細長い凸部を一体に設けた」に対応する。
　してみると、本願補正発明１と引用発明１とは、「ゴルフクラブのシャフトが挿入される挿入孔を有するゴルフクラブ用グリップであって、前記挿入孔の内面に、シャフト挿入状態で押し潰されてグリップ外面部に軸方向に沿う凸筋が現出する細長い凸部を一体に設けたゴルフクラブ用グリップ」である点で、両者の構成が一致し、次の点で相違する。
　
相違点１
　
５．判断
（１）相違点１について
　引用発明１のゴルフクラブ用グリップにおいて、ゴルフクラブのシャフトが挿入される挿入孔の形状が「花びら形断面Ｑ」を呈しているのは、内周面に内方へ突出する内突条１４ａ〜１４ｅが形成されている他に、各突条がシャフトＥで圧縮されるときに突条中心がずれないようにする機能を有する溝条１６がさらに各突条の頂部に形成されていることに起因しているのであり、上記事情を斟酌すると、上記引用発明１において、上記各突条がシャフトＥで圧縮されるときに突条中心がずれないようにする機能を有する溝条１６を各突条の頂部に形成せずに、内周面には内方へ突出する内突条１４ａ〜１４ｅのみを形成することにより、引用発明１の挿入孔を「断面概略円形」の形状とすることは、当業者が必要に応じて適宜成し得る設計事項にすぎないことである。
　そうしてみると、引用発明１における「花びら形断面Ｑ」を呈する形状を適宜変更することにより、本願補正発明１の上記相違点１に係る構成とすることは、当業者が容易に成し得る設計事項である。
　そして、本願補正発明１の奏する作用・効果は、上記引用発明１から予測できる範囲内のものであり、格別顕著のものということができない。
　
（２）まとめ
　したがって、本願補正発明１は、引用発明１に基いて当業者が容易に発明をすることができたものであるから、本願補正発明１は特許法第２９条第２項の規定により、その特許出願の際独立して特許を受けることができないものである。
　
６．むすび
　以上のとおり、本件補正は、平成１５年改正前の特許法第１７条の２第５項において準用する同法第１２６条第４項の規定に違反するものであり、同法第１５９条第１項において読み替えて準用する第５３条第１項の規定により却下されるべきものである。
　
第３　本願発明について
１．本願発明
　平成１５年７月２４日付の手続補正は上記のとおり却下されたので、本願発明は、出願当初明細書の特許請求の範囲の請求項１ないし請求項５に記載された事項により特定されるとおりのものであるところ、特にその請求項１に係る発明は、次のとおりのものである。
　「ゴルフクラブのシャフトが挿入される断面概略円形の挿入孔を有するゴルフクラブ用グリップであって、前記挿入孔の内面に、シャフト挿入状態で押し潰されてグリップ外面部に軸方向に沿う凸筋が現出する細長い棒状の凸部を設けたことを特徴とするゴルフクラブ用グリップ。」（以下、これを「
本願発明１
　
２．引用刊行物及び該引用刊行物の記載事項並びに引用発明１
　原審における拒絶査定の理由に引用された引用刊行物及び該引用刊行物に記載された発明及び技術事項は、前記「第２」の「３．引用刊行物及び該引用刊行物の記載事項」欄に記載したとおりである。
　
３．対比・判断
　本願補正発明１の発明特定事項は、本願発明１の「細長い棒状の凸部を設けた」を、「細長い凸部を一体に設けた」と限定的に減縮する補正の結果によるものであるから、本願発明１が本願補正発明１の上位概念の発明であることは明らかである。
　してみると、本願発明１の下位概念の発明に当たる本願補正発明１が、前記「第２」の「５．判断」欄に記載したとおり、引用発明１に基いて当業者が容易に発明をすることができたものである以上、本願補正発明１の上位概念に相当する発明特定事項からなる本願発明１も、本願補正発明１についての理由と同様の理由により、引用発明１に基いて当業者が容易に発明をすることができたものということができる。
　
４．むすび
　以上のとおり、本願発明１は、上記引用発明１に基いて当業者が容易に発明をすることができたものであり、本願発明１が特許法第２９条第２項の規定により特許を受けることができないから、本願の他の請求項に係る発明を検討するまでもなく、本願は拒絶すべきものである。
　よって、結論のとおり審決する。